(57)【特許請求の範囲】
【請求項１】
基材の少なくとも一部に、第１のハーフトーン領域と第２のハーフトーン領域とが隣接するように複数配置されて第１の画像及び第２の画像を有する画像領域が形成された画像表示体であって、
前記第１のハーフトーン領域は、前記第１の画像の一部のみを形成する第１の網点部又は第１の背景部のいずれか一方と、前記第１の画像及び前記第２の画像の一部を形成する前記第１の網点部又は前記第１の背景部の他方とを有し、
前記第２のハーフトーン領域は、前記第２の画像の一部のみを形成する第２の網点部又は第２の背景部のいずれか一方と、前記第１の画像及び前記第２の画像の一部を形成する前記第２の網点部又は前記第２の背景部の他方とを有し、
前記第１のハーフトーン領域における前記第１の網点部及び前記第１の背景部のいずれか一方は、第１の色を有する非磁性粒子と第２の色を有する磁性粒子が液体中に分散したマイクロカプセルを含む第１の色材により形成され、他方は、前記マイクロカプセルを含有せず、かつ、前記第２の色を有する第２の色材により形成され、
前記第２のハーフトーン領域における前記第２の網点部及び前記第２の背景部のいずれか一方は、前記第１の色材により形成され、他方は、前記マイクロカプセルを含有せず、かつ、前記第１の色を有する第３の色材により形成され、
前記基材に対して磁場を表側又は裏側から印加した状態で前記画像領域を観察すると、前記マイクロカプセル内の非磁性粒子と磁性粒子が上下移動をすることにより、各粒子に伴う色で表現された前記第１の画像及び前記第２の画像がスイッチして視認できることを特徴とする画像表示体。
【請求項２】
前記第１のハーフトーン領域内において、前記第１の網点部が形成される面積を異ならせることで階調を有する前記第１の画像が形成され、前記第２のハーフトーン領域内において、前記第２の網点部が形成される面積を異ならせることで階調を有する前記第２の画像が形成されたことを特徴とする請求項１記載の画像表示体。
【請求項３】
前記画像表示体は、前記基材上の画像領域以外の少なくとも一部に、前記画像領域に外部磁場を印加する永久磁石が形成された判別領域を更に有し、
前記判別領域を前記画像領域の表側又は裏側に重ねることで、前記第１の画像又は前記第２の画像が視認されることを特徴とする請求項１又は２記載の画像表示体。
【発明の詳細な説明】
【技術分野】
【０００１】
本発明は、紙幣、旅券、有価証券、カード及び貴重印刷物等の偽造防止及び改ざん防止機能が必要とされる画像表示体に関するものである。
【背景技術】
【０００２】
近年、カラー複写機の高機能化及び高画質化に伴い、紙幣及び有価証券等の貴重印刷物の偽造品が出回り、深刻な問題となっている。そのため、従来から貴重印刷物には、複写機では再現することが困難な機能性インキや、網点構成から成る画像が用いられている。また、印刷物が真正なものであるか否かを判別する方法として、可視画像とは異なる潜像画像が形成された印刷物が多数存在する。
【０００３】
複製が困難な網点構成から成る印刷物として、本出願人は、一般の商業印刷で使用されているシアン（Ｃ）、マゼンタ（Ｍ）、イエロー（Ｙ）及びブラック（Ｂｋ）の基本インキを用いて、通常光下で観察される可視画像と、赤外線光下で観察される潜像画像を同一平面上に網点画像として生成した網点印刷物について出願している（例えば、特許文献１参照）。
【０００４】
この印刷物は、一般の商業印刷で使用されている赤外線吸収特性を有しないシアン（Ｃ）、マゼンタ（Ｍ）及びイエロー（Ｙ）と、これらを重ね合わせた混色ブラックと、紫外線領域から赤外線領域までの全域にわたり吸収を示すカーボンブラックを主体としたブラック（Ｂｋ）を用いて可視画像及び潜像画像を形成する網点を配置している。
【０００５】
前述のシアン（Ｃ）、マゼンタ（Ｍ）、イエロー（Ｙ）及びブラック（Ｂｋ）を用いて所定の配置規則に基づき印刷された網点印刷物は、通常光下で視認することができる可視画像内に、赤外線カメラ等の鑑定装置を用いて観察することができる潜像画像を埋め込むことができる。当該網点印刷物は、特殊なインキを用いる必要がないため、安価に作製することが可能であり、現在の写真製版装置での複製が不可能であることから、偽造防止効果に優れる。
【０００６】
また、本出願人は、潜像画像を形成する機能性材料として、サーモクロミックインキを用い、第１のハーフトーン領域及び第２のハーフトーン領域に形成する背景部をサーモクロミックインキによって形成し、第１のハーフトーン領域の画像部を、サーモクロミックインキが低温状態のときの色と略等色のインキによって形成し、第２のハーフトーン領域の画像部を、サーモクロミックインキが高温状態のときの色と略等色のインキにより形成することで、低温状態では第２のハーフトーン領域の画像部のみが、他の領域の色と異なることで第１の画像として可視化され、高温状態では、第１のハーフトーン領域の画像部のみが他の領域の色と異なることで第２の画像として可視化される画像表示体について出願している（例えば、特許文献２参照）。
【先行技術文献】
【特許文献】
【０００７】
【特許文献１】特許第３５４４５３６号公報
【特許文献２】特許第４８４４８９１号公報
【発明の概要】
【発明が解決しようとする課題】
【０００８】
しかしながら、特許文献１に開示された印刷物は、カラー複写機を用いて複製された偽造品を肉眼で真正品と区別することができず、例えば、銀行及び入国管理審査等の各種窓口業務における検査担当者が、赤外線カメラ等の鑑定装置を用いて当該印刷物を照射した際の、潜像画像の有無又は変色の有無により、初めて偽造品であることを確認することが可能となる。よって、各種窓口業務では、偽造防止技術に併せた鑑定装置を適宜準備する必要がある。
【０００９】
また、特許文献２に開示されている印刷物は、真正品の印刷物に対する偽造抵抗力は極めて高いものの、第１の画像から第２の画像へスイッチさせるために、印刷物を所定の温度にしなければならない。そのため、瞬時に真正品であるか偽造品であるかを判別することができないという課題が残されていた。
【００１０】
本発明は、上記課題の解決を目的とするものであり、磁性粒子と非磁性粒子の二成分を液体中に分散、封入したマイクロカプセルを含む色材を用いて二つの異なる画像が形成された画像表示体に関するものであり、基材の表側又は裏側から外部磁場を印加することにより、マイクロカプセル内に含まれる磁性粒子及び非磁性粒子の両成分における上下位置を移動させ、第１の画像と第２の画像を出現させる、いわゆる、画像のスイッチ効果を有する画像表示体に関する発明である。
【課題を解決するための手段】
【００１１】
本発明の画像表示体は、基材の少なくとも一部に、第１のハーフトーン領域と第２のハーフトーン領域とが隣接するように複数配置されて第１の画像及び第２の画像を有する画像領域が形成された画像表示体であって、第１のハーフトーン領域は、第１の画像の一部のみを形成する第１の網点部又は第１の背景部のいずれか一方と、第１の画像及び第２の画像の一部を形成する第１の網点部又は第１の背景部の他方とを有し、第２のハーフトーン領域は、第２の画像の一部のみを形成する第２の網点部又は第２の背景部のいずれか一方と、第１の画像及び第２の画像の一部を形成する第２の網点部又は第２の背景部の他方とを有し、第１のハーフトーン領域における第１の網点部及び第１の背景部のいずれか一方は、第１の色を有する非磁性粒子と第２の色を有する磁性粒子の二成分が液体中に分散したマイクロカプセルを含む第１の色材により形成され、他方は、マイクロカプセルを含有せず、かつ、第２の色を有する第２の色材により形成され、第２のハーフトーン領域における第２の網点部及び第２の背景部のいずれか一方は、第１の色材により形成され、他方は、マイクロカプセルを含有せず、かつ、第１の色を有する第３の色材により形成され、画像領域を基材の裏側から外部磁場を印加した状態で観察すると、第１のハーフトーン領域における第１の網点部及び第１の背景部のいずれか一方及び第２のハーフトーン領域における第２の網点部及び第２の背景部のいずれか一方を形成した第１の色材に含まれるマイクロカプセル内の非磁性粒子が第１の色材の上部に、磁性粒子が下部に移動することで第１の色として観察され、第３の色材により形成された第２のハーフトーン領域における他方と等色として観察されることで、第２の色材により形成された第１の画像が出現し、画像領域を基材の表側から外部磁場を印加した状態で観察すると、第１のハーフトーン領域における第１の網点部及び第１の背景部のいずれか一方を形成した第１の色材に含まれるマイクロカプセル内の磁性粒子が第１の色材の上部に、非磁性粒子が下部に移動することで第２の色として観察され、第２の色材により形成された第１のハーフトーン領域における他方と等色として観察されることで、第３の色材により形成された第２の画像が出現することを特徴とする画像表示体である。
【００１２】
また、本発明の画像表示体は、第１のハーフトーン領域内に形成された第１の網点部が形成される面積を異ならせることで階調を有する第１の画像が形成され、第２のハーフトーン領域内に形成された第２の網点部が形成される面積を異ならせることで階調を有する第２の画像が形成されたことを特徴とする画像表示体である。
【００１３】
さらに、本発明の画像表示体は、基材上の画像領域以外の少なくとも一部に、画像領域に外部磁場を印加する永久磁石が形成された判別領域を更に有し、判別領域を画像領域の表側又は裏側に重ねることで、第１の画像又は第２の画像が視認されることを特徴とする画像形成体である。
【発明の効果】
【００１４】
本発明の画像表示体は、基材の表側から外部磁場を印加することにより、第１の色材に含まれるマイクロカプセル内の磁性粒子及び非磁性粒子の上下位置を移動させ、磁性粒子をマイクロカプセルの上部に、非磁性粒子をマイクロカプセルの下部に移動させることで、第１の画像の一部を形成する網点が磁性粒子の色へと変色し、第１の画像が全く異なる第２の画像にスイッチする。さらに、基材の裏側から外部磁場を印加することで、第１の色材に含まれるマイクロカプセル内の磁性粒子及び非磁性粒子の上下位置を移動させ、非磁性粒子をマイクロカプセルの上部に、磁性粒子をマイクロカプセルの下部に移動させることで、第２の画像が消失して第１の画像が出現するという画像のスイッチ効果を有する画像表示体を提供することができる。よって、鑑定装置等の専用の装置を用いることなく、簡易的な判別具を用いることで、目視により瞬時に真偽判別を行うことが可能であるという効果を奏する。
【００１５】
また、本発明の画像表示体は、特殊な網点構成により作製することにより、二つの画像を同一領域内に重なるようなデザインで作製することが可能であり、デザイン上の制約を受けることがなく、更には、偽造品を作製するために、各インキにより作製した領域を解析し、各版面を作製することは極めて困難であることから、格別の偽造防止効果を奏する。
【図面の簡単な説明】
【００１６】
【図１】本発明の画像表示体における網点構成の一例を示す図
【図２】第１の画像を形成する網点構成及び第１の画像を示す図
【図３】第２の画像を形成する網点構成及び第２の画像を示す図
【図４】第１の網点部及び第２の網点部の形状の一例を示す図
【図５】第１の実施の形態における画像表示体の作製に用いられる装置の構成を示すブロック図
【図６】第１の実施の形態における画像表示体を作製する方法における手順を示すフローチャート
【図７】マスクデータを示す模式図
【図８】マスク処理を示す模式図
【図９】第２の実施の形態における画像表示体の第１の画像を形成する網点構成及び第１の画像を示す図
【図１０】第２の実施の形態における画像表示体の第２の画像を形成する網点構成及び第２の画像を示す図
【発明を実施するための形態】
【００１７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１８】
（第１の実施の形態）
本発明の画像表示体は、二つの画像を形成するための独立した二つのハーフトーン領域を重なり合うことなく均等に複数規則的に配置することで、二つの異なる画像が形成された画像表示体であり、基材の裏側から外部磁場を印加した状態で観察される画像（以下「第１の画像」という。）と、基材の表側から外部磁場を印加した状態で観察される画像（以下「第２の画像」という。）が形成された画像表示体である。
【００１９】
二つの画像が観察される原理については、第１の画像及び第２の画像を形成する第１のハーフトーン領域及び第２のハーフトーン領域内に形成された網点を基材の表側か、又は裏側から外部磁場を印加すると網点が変色し、第１のハーフトーン領域及び第２のハーフトーン領域におけるいずれか一方の網点がそれぞれのハーフトーン領域内の背景領域と等色となることで、第１の画像が全く異なる第２の画像にスイッチするというものである。
【００２０】
前述の網点の形成に用いる材料は、可視光領域において吸収特性に優れた色（以下「第２の色」という。）で、かつ、磁気特性を有する磁性粒子と、可視光領域において光反射性に優れた色（以下「第１の色」という）で、かつ、磁気特性を有しない非磁性粒子を液体中に分散、封入したマイクロカプセルを含む色材を用いればよく、例えば、特許第２８７３８２５号公報に記載の材料等を用いることができる。
なお、第２の色は基材と異なる色であり、第１の色は基材と同じ色か、基材及び第２の色と異なる色である。
【００２１】
前述したマイクロカプセルを含む色材は、基材上に形成された状態で、基材の裏側から外部磁場を印加すると、マイクロカプセル内に含まれる磁性粒子がマイクロカプセル内の下側に移動し、光反射性に優れる非磁性粒子がマイクロカプセル内の上側に移動して、基材の表側に非磁性粒子が集まることから、光反射性に優れた第１の色として観察される。一方、基材の表側から外部磁場を印加すると、基材の裏側から外部磁場を印加したときにマイクロカプセル内の下側に移動した磁性粒子が、マイクロカプセル内の上側に移動するため、可視光領域で吸収性に優れる第２の色に変色して観察される。さらに、基材の裏側から外部磁場を印加することで、非磁性粒子をマイクロカプセル内の上側に移動させることができ、これらの変色効果は繰り返し利用可能である。
【００２２】
磁性粒子としては、平均粒径０．３〜０．５μｍ程度の黒色酸化鉄粉を例示することができ、磁性粒子の大きさ及び形状は、マイクロカプセルの大きさによって適宜設定する必要があるが、これらは、特に限定されない。
【００２３】
外部磁場を印加する判別具については、多極着磁した永久磁石であればよく、永久磁石を独立した判別具として用いる方法や、基材上における第１の画像及び第２の画像が形成された領域（以下「画像領域」という。）と異なる少なくとも一部の領域に判別領域を形成することができる。
【００２４】
なお、画像表示体上に判別領域を形成した場合、画像表示体を折りたたむ等で画像領域と判別領域を接触又は接近させ、画像領域内に形成されたマイクロカプセル内の磁性粒子及び非磁性粒子の両成分の上下位置を移動させることで、画像のスイッチ効果により真偽判別を可能とする構成とすることができる。
【００２５】
本発明の画像表示体１は、基材２上の少なくとも一部の領域（以下「画像領域」という。）に、二つのハーフトーン領域を隣接して複数配置することにより、二つの画像が形成されたものである。以下、それぞれのハーフトーン領域の構成から説明する。
【００２６】
図１は、第１の実施の形態における画像表示体１の網点構成の一部を拡大した図であり、第１のハーフトーン領域３と第２のハーフトーン領域４により、第１の画像と第２の画像が形成された画像表示体１である。第１のハーフトーン領域３は、第１の画像のみを形成する第１の網点部３ａ又は第１の背景部３ｂのいずれか一方と、第１の画像及び第２の画像の一部を形成する第１の網点部３ａ又は第１の背景部３ｂの他方とが形成される。第１の網点部３ａ又は第１の背景部３ｂのいずれか一方は、前述した非磁性粒子と磁性粒子を分散して封入したマイクロカプセルを含む色材（以下「第１の色材」という。）により形成され、他方は、マイクロカプセルを含まず、かつ、第２の色を有する色材（以下「第２の色材」という。）で形成されている。
【００２７】
なお、以下、第１の実施の形態においては、一例として、第１のハーフトーン領域３は、第１の画像の一部及び第２の画像を形成する第１の網点部３ａと、第１の網点部３ａと隣接する位置に第１の画像のみを形成する第１の背景部３ｂとが形成され、第１の網点部３ａは、第２の色材により形成され、第１の背景部３ｂは、第１の色材により形成されている場合について説明する。
【００２８】
第２のハーフトーン領域４には、第２の画像の一部のみを形成する第２の網点部４ａ又は第２の背景部４ｂのいずれか一方と、第１の画像を形成する際に、前述した第２の画像の一部のみを形成した第２の網点部４ａ又は第２の背景部４ｂのいずれか一方をカムフラージュする第２の網点部４ａ又は第２の背景部４ｂの他方とが形成されている。第２の網点部４ａ又は第２の背景部４ｂのいずれか一方は、第１の色材により形成されている。また、他方は、マイクロカプセルは含まず、かつ、第１の色を有する色材（以下「第３の色材」という。）で形成されているか、又は、本発明の画像表示体１に用いる基材２の色が第１の色と等色の場合、基材２上に形成した他方の第２の網点部４ａ又は第２の背景部４ｂは、基材２の表面の色によりカムフラージュされた状態であるため、第３の色材により形成しなくても同様の効果を得る。なお、以下、第１の実施の形態においては、一例として、第２のハーフトーン領域４は、第２の画像の一部のみを形成する第２の網点部４ａと、第２の網点部４ａと隣接する位置に、第２の網点部４ａをカムフラージュする第２の背景部４ｂが形成され、第２の網点部４ａは、第１の色材により形成され、第２の背景部４ｂは、第３の色材により形成されている場合について説明する。
【００２９】
なお、第１のハーフトーン領域３及び第２のハーフトーン領域４に形成する網点については、本発明の特徴点の一つであるマイクロカプセルを含んだ第１の色材を形成可能な方法であれば、公知の印刷方法等を用いて形成することが可能であり、オフセット印刷方式、グラビア印刷方式、スクリーン印刷方式、フレキソ印刷方式、インクジェットプリンタ及びレーザプリンタ等、特に限定されるものではない。
【００３０】
第１のハーフトーン領域３における第１の背景部３ｂは、前述したマイクロカプセルを含む第１の色材によって形成されており、図１は、第１の色材内に含まれる非磁性粒子がマイクロカプセルの上部に集まった状態であるため、非磁性粒子の色である第１の色で観察される。
【００３１】
次に、本発明の画像表示体１において観察される第１の画像５と第２の画像６について、図２及び図３を用いて説明する。図２（ａ）は、第１の色材に含まれるマイクロカプセル内の非磁性粒子がマイクロカプセルの上部に集まった状態で画像表示体１を観察した際の網点構成を拡大したものであり、第１のハーフトーン領域３に形成された第１の背景部３ｂは、第１の色材によって形成されており、移動した非磁性粒子の色である第１の色で観察される。また、第１の網点部３ａは、第２の色を有する第２の色材により形成されているため、第１のハーフトーン領域３内において異なる色として観察される。
【００３２】
一方、第２のハーフトーン領域４における第２の網点部４ａは、第１の色材によって形成され、第２の背景部４ｂは、磁性粒子を含まず、かつ、第１の色を有する第３の色材によって形成されているため、第２のハーフトーン領域４内において等色として観察される。よって、第１のハーフトーン領域３における第１の背景部３ｂと第２のハーフトーン領域４は、第１の色として観察され、第１の網点部３ａは、第２の色として観察されることから、図２（ｂ）に示すように、第１の網点部３ａにより形成された第１の画像５が観察される。なお、図２においては、第１の網点部３ａの面積が同一であることから、形成される第１の画像５は階調を有しない画像であるが、複数の第１の網点部３ａの面積を各々異ならせることにより階調を有する第１の画像５を形成することも可能である。
【００３３】
図３（ａ）は、第１の色材に含まれるマイクロカプセル内の磁性粒子がマイクロカプセルの上部に集まった状態で画像表示体１を観察した際の網点構成を拡大したものであり、第１のハーフトーン領域３における第１の背景部３ｂは、第１の色材に含まれるマイクロカプセル内の磁性粒子と非磁性粒子の上下位置が入れ替わることで第１の色から第２の色へと変化し、第１の網点部３ａと等色として観察されるため、第１のハーフトーン領域３内において等色として観察される。
【００３４】
一方、第２のハーフトーン領域４における第２の網点部４ａは、前述した第１の色材により形成されているため、第１のハーフトーン領域３における第１の背景部３ｂと同様に、第１の色から第２の色へと変色し、第２の背景部４ｂは、磁性粒子を含まず、かつ、第１の色を有する第３の色材により形成されているため、図２（ａ）に示した状態と同様に、第１の色で観察される。よって、第２の網点部４ａと第１の背景部３ｂが第２の色へと変化することで、画像領域７内で色の変化が生じ、図３（ｂ）に示すように、第１の画像５と全く異なる第２の画像６を観察することができる。なお、第１の画像５と同様に、複数の第２の網点部４ａの面積を各々異ならせることにより階調を有する第２の画像６を形成することも可能である。  
【００３５】
本発明における等色とは、色差ΔＥが６未満のことを指し、色差とは、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００３６】
一般的に、色差ΔＥが６前後の場合においては、異なった色として視認される可能性がある。ただし、前述のとおり、本発明においては、第１のハーフトーン領域３及び第２のハーフトーン領域４は、肉眼ではそれぞれの領域を区別して視認することができない微細な網点により構成している。そのことから、前述のとおり、色差ΔＥが６未満であれば、基材２の裏側から外部磁場を印加した画像表示体１に形成された第１のハーフトーン領域３における第１の背景部３ｂと、第２のハーフトーン領域４に形成された第２の網点部４ａ及び第２の背景部４ｂを区別することができず、等色として視認される。また、基材の表側から外部磁場を印加した画像表示体１に形成された第２の網点部４ａと、第１のハーフトーン領域３における第１の網点部３ａ及び第１の背景部３ｂについても、ΔＥが６未満であれば、等色として視認される。
【００３７】
一方、第１の色材によって形成された網点を基材２の表裏側から外部磁場を印加することによって、磁性粒子及び非磁性粒子の両成分の上下位置を移動させることで網点の色が第１の色から第２の色へ、或いは第２の色から第１の色へ変色する第１の色及び第２の色の関係は、異なる色の関係であり、本発明において異なる色とは、色差ΔＥが６以上のことを指している。
【００３８】
また、本発明の画像表示体１における第１の網点部３ａ及び第２の網点部４ａは、図４（ａ）のように、各々のハーフトーン領域の中心に形成された例で説明しているが、図４（ｂ）のように、各々のハーフトーン領域の中心を除く外側に形成することや、図４（ｃ）のように、各々のハーフトーン領域を二つ以上に分割して形成することも可能であり、これらの配置としても同様の効果が得られる。また、第１のハーフトーン領域３と第２のハーフトーン領域４の網点部と背景部の配置は異なってもよく、例えば、第１のハーフトーン領域３は、図４（ａ）に示す構成で、第２のハーフトーン領域４は、図４（ｂ）に示す構成としてもよい。
【００３９】
次に、本実施の形態による画像表示体１の作製に用いられる装置について、その構成を示した図５を用いて説明する。この作製装置は、入力部４０１、処理部４０２、記憶部４０３及び出力部４０４を備えている。入力部４０１は、本実施の形態の画像表示体１の作製に必要なデータを入力し、処理部４０２に与える。処理部４０２は、与えられたデータを記憶部４０３に格納するとともに、画像表示体１の作製に必要な演算処理及び画像処理等を行い、得られた結果を出力部４０４に与える。出力部４０４は、処理部４０２から与えられたデータを、外部の、例えば、図示されてない印刷機等に出力する。
【００４０】
このような作製装置を用いて、本実施の形態による画像表示体１を作製する方法について、その手順を示した図６を用いて説明する。図６におけるステップＳ１１として、第１のハーフトーン領域３が形成する第１の画像に対応する原画として、第１の画像データを処理部４０２が作製するか、又は外部から第１の画像データとして入力部４０１より入力し、処理部４０２を介して網点化された第１の画像を記憶部４０３に格納する。次に、ステップＳ１２として、記憶部４０３に格納された第１の画像データを基に、第１のハーフトーン領域３内に形成する第１の網点部３ａの位置、形状及び寸法を、処理部４０２を介して記憶部に格納する。
【００４１】
次に、ステップＳ１３として、第２のハーフトーン領域４が形成する第２の画像に対応する第２の画像データを処理部４０２が作製するか、又は外部から第２の画像データとして入力部４０１より入力し、処理部４０２を介して網点化された第２の画像を記憶部４０３に格納する。ステップＳ１４として第２のハーフトーン領域４のみをマスク処理したマスクデータを処理部４０２によって作製し、記憶部４０３に格納する。ステップＳ１５として、記憶部４０３に格納された第２の画像データ及びマスク画像を基に、第２のハーフトーン領域４内に形成する第２の網点部４ａの位置、形状及び寸法を、処理部４０２を介して記憶部に格納する。
【００４２】
次に、ステップＳ１６として、前述までのステップで記憶部４０３に格納された第１のハーフトーン領域３のデータと、第２のハーフトーン領域４のデータを処理部４０２が合成し、ステップＳ１７により、出力部４０４から外部の印刷機等に出力して画像表示体１が完成する。前述のステップＳ１６により、二つのデータを合成する方法としては、二つのデータに共通する位置として、少なくとも任意の三つの点を、各々のハーフトーン領域データにおけるそれぞれの基準点に設定することで、二つのデータを合成する方法を用いる。なお、基準点の設定方法についての詳細は、特開２０１１−１４０２１７号において記載されていることから、省略する。
【００４３】
図７は、マスクデータを示す模式図である。マスクデータは、複数の第２のハーフトーン領域４へ、第１の画像５を配置する際に用いる画像である。マスクデータは、あらかじめ作製しておいた、フォーマットデータを用いて生成される。フォーマットデータとは、本発明における画像表示体１を生成する、複数の第１のハーフトーン領域３及び複数の第２のハーフトーン領域４を、どのように配置するかを設計することで、フォーマットデータが生成される。フォーマットデータは、複数の画素によって構成される。フォーマットデータにおける、複数の第１のハーフトーン領域３の配置箇所の画素を白画素とし、複数の第２のハーフトーン領域４の配置箇所の画素のみを黒画素とすることで、マスクデータが生成される。マスクデータは、各原画像データの基準点と対応する基準点（Ｐ１、Ｐ２及びＰ３）を有する。
【００４４】
マスク処理とは、第１の画像データに対して、マスクデータの白画素に対応する部分を全て白画素に置き換える処理を施すことで、第２の画像データのうち、複数の第１のハーフトーン領域３に相当する部分を全て白色に置き換えるものである。それにより、第２の画像データは、複数の第２のハーフトーン領域４内に配置された第２の網点部４ａのみから成る画像へと変換され、第１の画像データ及び第２の画像データを形成する複数の各網点を、重なり合うことなく画像領域７内へ均等配置することが可能となる。
【００４５】
図８は、一例として第１の画像５を生成する、マスク処理を示す模式図である。マスク処理においては、処理部４０２へ入力した図８（ａ）に示すマスクデータの基準点（Ｐ１、Ｐ２及びＰ３）と、図８（ｂ）に示す、マスクデータと対応する第１の画像データの基準点（Ｐ１´、Ｐ２´及びＰ３´）とを合わせる。二つの画像を合わせた際に、同じ位置となる二つの画素のうち、マスクデータを構成する画素が黒画素ならば、第１の画像データを構成する画素を残す。また、マスクデータを構成する画素が白画素ならば、第１の画像データを白画素とする。マスク処理を行うことで、第１の画像データのうち、第２のハーフトーン領域４に相当しない部分、すなわち、第１のハーフトーン領域３を形成する画素は白画素となる。よって、図８（ｃ）に示す、複数の第２のハーフトーン領域４から成る第１の画像データが生成される。
【００４６】
（第２の実施の形態）
第２の実施の形態について説明する。第２の実施の形態における画像表示体１は、前述した第１の実施の形態と同様に、基材２上に第１の画像５と第２の画像６を有する画像領域７が形成されており、さらに、第１の実施の形態と異なる構成として、画像領域７に外部磁場を印加する判別領域８を少なくとも有する自己認証型の画像表示体１である。
【００４７】
図９（ａ）は、第２の実施の形態における画像表示体１を示すものであり、基材２の一部に第１の画像５と第２の画像６を有する画像領域７と、基材２を折り曲げるか、又は他の券種と接触させることで画像領域７に磁界を与える判別領域８が形成されたものである。
【００４８】
判別領域８は、基材２の少なくとも１部の領域に多極着磁した永久磁石を塗布することで形成されている。なお、一つの画像表示体１における判別領域８により画像領域７に形成された第１の画像５を第２の画像６にスイッチさせるため、画像領域７と判別領域８は所定の距離をもって配置されることが好ましい。なお、ここでいう「所定の距離」とは、画像表示体１を折り曲げて、画像領域７と判別領域８が重なり合うことができる程度であればよく、５ｍｍ以上であれば問題はない。また、判別領域８の配置については、微粉末の永久磁石を基材２内部に含ませる方法、印刷により施す方法及びゴム製等の永久磁石シートを貼付する等、公知の方法を用いることができる。
【００４９】
第２の実施の形態における画像領域７は、第１のハーフトーン領域３における第１の背景部３ｂを第１の実施の形態と同様に、マイクロカプセルを含む第１の色材によって形成し、第１の網点部３ａは、マイクロカプセルを含まず、かつ、第２の色を有する第２の色材によって形成している。
【００５０】
同様に、第２のハーフトーン領域４における第２の網点部４ａは、第１の色材により形成され、第２の背景部４ｂは、マイクロカプセルを含まず、かつ、第１の色を有する第３の色材によって形成されたものである。
【００５１】
この画像表示体１を基材の裏側から外部磁場を印加した状態として観察した際の網点構成を示すのが図９（ｂ）であり、第１のハーフトーン領域３に形成された第１の背景部３ｂは、第１の色として観察される。一方、第１の網点部３ａは、磁性粒子を含まず、かつ、第２の色を有する第２の色材によって形成されているため、第１のハーフトーン領域３において第１の網点部３ａ及び第１の背景部３ｂに高いΔＥが発生し、第１の網点部３ａが、第１の画像５を形成する網点として観察される。
【００５２】
また、第２のハーフトーン領域４における第２の網点部４ａは、第１の色材により形成され、第２の背景部４ｂは、磁性粒子を含まず、かつ、第１の色を有する第３の色材によって形成されているため、第２のハーフトーン領域４内における第２の網点部４ａと第２の背景部４ｂに色差ΔＥが発生しないため、等色として観察される。よって、第１のハーフトーン領域３における第１の網点部３ａによって形成された第１の画像５が観察される。
【００５３】
図１０（ｂ）は、第２の実施の形態における画像表示体１に形成された判別領域８により、基材の表側から画像領域７を印加した画像表示体１における網点構成を示すものであり、第１のハーフトーン領域３における第１の背景部３ｂ及び第２のハーフトーン領域４における第２の網点部４ａは、第１の色材により形成されているため、第１の色材に含まれる磁性粒子と非磁性粒子の上下位置が入れ替わることで、第１の色から第２の色へと変色した状態である。よって、第１のハーフトーン領域３における第１の網点部３ａ及び第１の背景部３ｂと、第２のハーフトーン領域４における第２の網点部４ａは、第２の色として観察されることから、第１のハーフトーン領域３内において等色として観察される。
【００５４】
一方、第２のハーフトーン領域４における第２の背景部４ｂは、磁性粒子を含まず、かつ、第１の色を有する第３の色材によって形成されているため、外部磁場を印加しても色変化することなく、第１の色として観察されることから、第１のハーフトーン領域３における第１の網点部３ａ、第１の背景部３ｂ及び第２のハーフトーン領域４における第２の網点部４ａとの間に、高いΔＥが発生し、図１０（ａ）に示すような第１の画像５と全く異なる第２の画像６を観察することができる。
【００５５】
よって、第２の実施の形態における画像表示体１は、基材２上に形成された判別領域８を基材２の表側又は裏側から画像領域７に接触又は接近させることによって、第１の色材に含まれる磁性粒子及び非磁性粒子の両成分の上下位置が移動することで、白色から黒色へ、或いは黒色から白色へ変色させることができることから、特別な判別具を用いることなく、画像表示体１の真偽判別を行うことができる。
【符号の説明】
【００５６】
１          画像表示体
２          基材
３          第１のハーフトーン領域
３ａ        第１の網点部
３ｂ        第１の背景部
４          第２のハーフトーン領域
４ａ        第２の網点部
４ｂ        第２の背景部
５          第１の画像
６          第２の画像
７          画像領域
８          判別領域
【図１】
0005835708.tif 000002
【図２】
0005835708.tif 000003
【図３】
0005835708.tif 000004
【図４】
0005835708.tif 000005
【図５】
0005835708.tif 000006
【図６】
0005835708.tif 000007
【図７】
0005835708.tif 000008
【図８】
0005835708.tif 000009
【図９】
0005835708.tif 000010
【図１０】
0005835708.tif 000011